(57)【要約】【課題】需要者の側で形状を変更することが可能なサポータを提供する。【解決手段】少なくとも一方の開放端の縁部に接続具を取り付けたことを特徴とするサポータである。接続具（７，９，１１）は、テープ付きファスナ（２）であるのが好ましい。本考案のサポータは、例えば、次のようにつなぐことができる。（ａ）手のひら用サポータ（１３）と手首用サポータ（１５）をつないだもの。（ｂ）手首用サポータ（１５）と肘用サポータ（１７）をつないだもの。（ｃ）上記（ａ）と（ｂ）をつないだもの。（ｄ）足首用サポータ（１）とすね用サポータ（３）をつないだもの。（ｅ）すね用サポータ（３）と膝用サポータ（５）をつないだもの。（ｆ）上記（ｄ）と（ｅ）をつないだもの。【選択図】図２
0003114390.tif 000002
【実用新案登録請求の範囲】
【請求項１】
少なくとも一方の開放端の縁部に接続具（７，９，１１）を取り付けたことを特徴とするサポータ（１，３，５，１３，１５，１７）。
【請求項２】
接続具（７，９，１１）が、テープ付きファスナ（２）である請求項１記載のサポータ。
【請求項３】
接続具（７，９，１１）が、合成樹脂製の雄部材（６）の複数個を所定間隔で生地テープに成形固定した雄側テープ（１８）と、合成樹脂製の雌部材（４）の複数個を前記雄部材と同一間隔で生地テープに成形固定した雌側テープ（３０）とからなるものにおいて、前記生地テープ（１８，３０）としてジャージを使用したテープ付きファスナである請求項２記載のサポータ。
【請求項４】
接続具（７，９，１１）が、合成樹脂製の雄部材（６）の複数個を所定間隔で生地テープ（１８）に成形固定した雄側テープと、合成樹脂製の雌部材（４）の複数個を前記雄部材と同一間隔で生地テープ（３０）に成形固定した雌側テープとからなるものにおいて、前記雌雄部材（４，６）を形成する合成樹脂をポリエステルエラストマーとしたテープ付きファスナ請求項２記載のサポータ。
【請求項５】
請求項１ないし４のいずれかに記載のサポータを２個以上接続した状態のサポータ。
【請求項６】
接続するサポータが次の（ａ）〜（ｆ）の中から選ばれるいずれか１つである請求項５記載のサポータ。
（ａ）手のひら用サポータ（４）と手首用サポータ（５）をつないだもの。
（ｂ）手首用サポータ（５）と肘用サポータ（６）をつないだもの。
（ｃ）上記（ａ）と（ｂ）をつないだもの。
（ｄ）足首用サポータ（１）とすね用サポータ（２）をつないだもの。
（ｅ）すね用サポータ（２）と膝用サポータ（３）をつないだもの。
（ｆ）上記（ｄ）と（ｅ）をつないだもの。
【考案の詳細な説明】
【技術分野】
【０００１】
本考案は、肘・膝・手・手首・足首・腿などに着用するサポータに関する。
【背景技術】
【０００２】
サポータは着用位置により、形状が異なるのが普通であり、例えば、手用には、親指とその他の指を分けたものが使用されることが多く、足首用には踵を露出させたものが使用されている。
【０００３】
例えば、足関節用サポータとして下記特許文献１のような発明がある。
【特許文献１】特開２００４−２９８８１１
【考案の開示】
【考案が解決しようとする課題】
【０００４】
特許文献１を含め、従来のサポータは製造時にいったん形状が決められたら、その後、需要者の側で形状を変更できない。使い捨てにするのであれば、適当にはさみを入れて好みの形状に変更はできるが、その場合、もとの形状よりも小さくはできるが大きくすることはできない。
【０００５】
本考案は、需要者の側で形状を変更することが可能で、特に大きくすることのできるなサポータを提供することを目的とする。
【課題を解決するための手段】
【０００６】
本考案のサポータは、少なくとも一方の開放端の縁部に接続具を取り付けたことを特徴とする。
【考案の効果】
【０００７】
本考案のサポータによれば、開放端の縁部に取り付けられた接続具をつなぐことにより、従来のサポータを相互につないでいくことができる。したがって、例えば、足首用サポータと、すね用サポータと、膝用サポータをつないで、膝から下をすべて覆うこともできる。
【考案を実施するための最良の形態】
【０００８】
開放端の縁部に取り付ける接続具としては、例えば、テープに取り付けられたスナップファスナ、単独のボタンやスナップファスナ、スライドファスナ、面ファスナ等を使用することができる。本考案のサポータは、複数個をつながない状態でも使用できるので、単独使用のときに、接続具が人体に押圧感や不快感を与えないものが好ましい。
【０００９】
その意味で、好ましいのは、本出願人会社のファスナ付きテープ「Ｏリングテーピー（商標）」である。これは、金属を使用しないので、金属特有の冷たさがなく、ファスナの高さが低いため、肌に当たってもほとんど痛さを感じることはない。
【００１０】
もっとも好ましいのは、本出願人自身の発明である特開２００４−３３７４１７及び特開２００４−３３７４１６で開示したテープ付きファスナを使用することである。
【００１１】
前者によれば、このファスナは、合成樹脂製の雄部材の複数個を所定間隔で生地テープに成形固定した雄側テープと、合成樹脂製の雌部材の複数個を前記雄部材と同一間隔で生地テープに成形固定した雌側テープとからなるものにおいて、前記生地テープとしてジャージを使用したことを特徴とするテープ付きファスナである。これによると生地テープがジャージであって、伸縮性を有するので、同じく伸縮性を有するサポータ生地と調和して着用時に伸縮し、着用感が向上する。
【００１２】
後者によれば、このファスナは、合成樹脂製の雄部材の複数個を所定間隔で生地テープに成形固定した雄側テープと、合成樹脂製の雌部材の複数個を前記雄部材と同一間隔で生地テープに成形固定した雌側テープとからなるものにおいて、前記雌雄部材を形成する合成樹脂をポリエステルエラストマーとしたことを特徴とするテープ付きファスナである。これによるとファスナがポリエステルエラストマーであって、柔らかく、人体に接触しても違和感が少ないので、着用感が向上する。ポリエステルエラストマーとしては、東レ・デュポン株式会社の製造・販売に係る商標「ハイトレル」として知られる熱可塑性ポリエステルエラストマーが好ましい。
【００１３】
接続するサポータは２個〜４個が普通であるが、もちろんそれ以上でもよい。例えば、次のような接続をすることができる。
（ａ）手のひら用サポータと手首用サポータをつなぐ。
（ｂ）手首用サポータと肘用サポータをつなぐ。
（ｃ）上記（ａ）と（ｂ）をつなぐ。
（ｄ）足首用サポータとすね用サポータをつなぐ。
（ｅ）すね用サポータと膝用サポータをつなぐ。
（ｆ）上記（ｄ）と（ｅ）をつなぐ。
【実施例１】
【００１４】
以下、添付の図面に基づき、本考案の実施例を説明する。
【００１５】
図１は、足首用サポータ１と、すね用サポータ３と、膝用サポータ５をつないだ状態の斜視図である。
【００１６】
図２に示すように、各サポータは、少なくとも一方の開放端の縁部に接続具７，９，１１を取り付けている。この実施例では、接続具７，９，１１は、本出願人会社のファスナ付きテープ「Ｏリング・テーピー（商標）」である。このファスナ付きテープの詳細は、特許第３６０４９８３号、特開２００４−３３７４１７及び特開２００４−３３７４１６に記載されている。
【００１７】
図３はこの接続具であるテープ付きファスナを接合面側から見た平面図であり、（ａ）は雌部材４側、（ｂ）は雄部材６側である。それぞれほぼリング状の外観を有する。各部材の反対側は図示していないが、やはりそれぞれリング状の外観を有する。ただし、反対側のリングの幅は、後記する成形上の理由により、やや太くなる。
【００１８】
図４は雄部材６の平面図、図５は断面図である。図５に示すように、生地テープ１８表面から係合用突起２０が起立している。雄部材の係合用突起２０は先端部周囲に係合用膨出縁２２と樹脂弾性による拡縮変形のための凹部２４を有する。
【００１９】
係合用突起２０にはベースが実質的に存在しない。図面では、生地テープ１８との接合面がやや膨らんでいるが、この程度の膨らみはベースと見なさないし、設計次第でほぼ完全にこれをなくすこともできる。ベースが存在しないので、係合用突起２０は高さを低くすることができる。その結果、係合部分の大きさを変えることなく、雄部材６を全体として小さくすることができる。
【００２０】
この雄部材６を成形するには、ファスナ成形用空間を形成した上下金型（図示せず）間に、溶融樹脂が成形圧力によって通過浸透する粗さの、取付穴のない生地テープ１８を配設し、係合突起２０内側に位置するくぼみ部分２８の生地テープを前記上下金型で挟み込み固定し、その後、合成樹脂を前記成形空間内に射出する。図１の符号２６の小さなくぼみが金型の射出口に相当する。この射出口設定のために裏面側から見たリング幅が係合突起２０の幅（即ち、表側から見たリング幅）よりもやや幅広となる。
【００２１】
このようにして、生地テープ１８両面に形成される雄部材の表面側と裏面側とが生地テープ１８を透過する合成樹脂によって一体化される。
【００２２】
図６は雌部材４の平面図であり，図７は断面図である。生地テープ３０を鋏んで合成樹脂により係合用くぼみ３２を形成している。雌部材の係合用くぼみ３２は、その開口部内側に型抜きを許容する範囲の係合用縁３４を形成している。
【００２３】
この雌部材の成型方法は雄部材６のそれとほぼ同様であるので、詳細な説明を省略する。図７の符号３６の小さなくぼみが樹脂注入口である。使用するテープ生地３０も前記テープ生地１８と同様である。
【００２４】
特開２００４−３３７４１７では、テープ生地１８，３０としてジャージを使用している。例えば、平編物地を使用することができる。生地は全面的又は部分的にバイアスされていてもよい。この実施態様では、生地テープがジャージであって、伸縮性を有するので、同じく伸縮性を有するサポータ生地と調和して着用時に伸縮し、着用感が向上する。
【００２５】
特開２００４−３３７４１６では、ファスナとして、熱可塑性ポリエステルエラストマーを使用している。例えば、東レ・デュポン株式会社の製造・販売に係る商標「ハイトレル」として知られる熱可塑性ポリエステルエラストマーを使用することができる。この実施態様では、ファスナがポリエステルエラストマーであって、柔らかく、人体に接触しても違和感が少ないので、着用感が向上する。
【００２６】
本実施例の雄部材６と雌部材４を係合させた状態の断面を図８に示す。
【００２７】
このテープに取り付けられた接続具であるスナップファスナ４，６には雌雄があるので、接続する一方のサポータ（例えば１）の表側縁部に雌型４を配し、他方のサポータ２の裏側縁部に雄型６を配する。
【実施例２】
【００２８】
図９は、手のひら用サポータ１３と、手首用サポータ１５と、肘用サポータ１７をつないだ状態の斜視図である。接続具については実施例１と同様である。
【図面の簡単な説明】
【００２９】
【図１】（実施例１）足首用サポータと、すね用サポータと、膝用サポータをつないだ状態の斜視図である。
【図２】実施例１における足首用サポータの一端部と、すね用サポータの一端部を示す斜視図である。
【図３】実施例１におけるテープ付きファスナ２を接合面側から見た平面図であり、（ａ）は雌部材４側、（ｂ）は雄部材６側である。
【図４】実施例１における雄部材６の平面図である。
【図５】実施例１における雄部材６の断面図である。
【図６】雌部材４の平面図である。
【図７】雌部材４の断面図である。
【図８】実施例１における雄部材６と雌部材４を係合させた状態の断面図である。
【図９】（実施例２）手のひら用サポータと、手首用サポータと、肘用サポータをつないだ状態の斜視図である。
【符号の説明】
【００３０】
１     足首用サポータ
２     テープ付きファスナ
３     すね用サポータ
４     雌側ファスナ
５     膝用サポータ
６     雄側ファスナ
７，９，１１  接続具
１３   手のひら用サポータ
１５   手首用サポータ
１７   肘用サポータ
１８   雄側テープ
３０   雌側テープ
【図１】
0003114390.tif 000003
【図２】
0003114390.tif 000004
【図３】
0003114390.tif 000005
【図４】
0003114390.tif 000006
【図５】
0003114390.tif 000007
【図６】
0003114390.tif 000008
【図７】
0003114390.tif 000009
【図８】
0003114390.tif 000010
【図９】
0003114390.tif 000011